(57)【要約】【課題】ＲＦＩＤタグのタグ情報記憶領域を効率良く利用することによってＲＦＩＤタグ利用コストを低減すること。【解決手段】タグ管理テーブル１１０がＲＦＩＤタグごとに複数の会社のタグ情報を記憶し、書換要求処理部１３０がリーダライタからの書換要求に応答して指定された会社のタグ情報をタグ管理テーブル１１０から読み出してリーダライタに送信するよう構成する。また、タグ情報編集部１２０は、タグ管理テーブル１１０の情報を編集する。【選択図】        図２
2007193537.tif 000002
【特許請求の範囲】
【請求項１】
ＲＦＩＤタグに書き込まれて利用されるタグ情報を管理するタグ情報管理プログラムであって、
一つのＲＦＩＤタグに書き換えられて利用される複数のタグ情報をタグ管理情報として登録する登録手順と、
前記登録手順によりタグ管理情報として登録された複数のタグ情報のうちの一部をリーダライタからの要求に応答して該リーダライタに送信する応答手順と、
をコンピュータに実行させることを特徴とするタグ情報管理プログラム。
【請求項２】
前記登録手順は、ＲＦＩＤタグを利用する利用者と該利用者が利用するタグ情報とを対応させて利用者ごとに登録し、
前記応答手順は、リーダライタにより指定された利用者に対応するタグ情報を送信することを特徴とする請求項１に記載のタグ情報管理プログラム。
【請求項３】
前記応答手順は、リーダライタにより指定された利用者に対応するタグ情報に加えて、該利用者に対応するタグ情報を送信する場合に一緒にタグ情報を送信することが指定されている利用者である同時送信利用者に対応するタグ情報を送信することを特徴とする請求項２に記載のタグ情報管理プログラム。
【請求項４】
ＲＦＩＤタグに書き込まれて利用されるタグ情報を管理するタグ情報管理方法であって、
一つのＲＦＩＤタグに書き換えられて利用される複数のタグ情報をタグ管理情報として登録する登録工程と、
前記登録工程によりタグ管理情報として登録された複数のタグ情報のうちの一部をリーダライタからの要求に応答して該リーダライタに送信する応答工程と、
を含んだことを特徴とするタグ情報管理方法。
【請求項５】
ＲＦＩＤタグに書き込まれて利用されるタグ情報を管理するタグ情報管理装置であって、
一つのＲＦＩＤタグに書き換えられて利用される複数のタグ情報を記憶するタグ情報記憶手段と、
前記タグ情報記憶手段により記憶された複数のタグ情報のうちの一部をリーダライタからの要求に応答して該リーダライタに送信する応答手段と、
を備えたことを特徴とするタグ情報管理装置。
【発明の詳細な説明】
【技術分野】
【０００１】
この発明は、ＲＦＩＤタグに書き込まれて利用されるタグ情報を管理するタグ情報管理プログラム、タグ情報管理方法およびタグ情報管理装置に関し、特に、ＲＦＩＤタグの記憶領域を効率良く利用し、もってＲＦＩＤタグの利用コストを低減することができるタグ情報管理プログラム、タグ情報管理方法およびタグ情報管理装置に関するものである。
【背景技術】
【０００２】
近年、ＲＦＩＤタグを利用したシステムの開発が様々な分野で進められている。例えば、特許文献１には、ＲＦＩＤタグを取り付けた伝票を郵便物に貼り付けて郵便物の配送や追跡調査などに利用するシステムが記載されている。
【０００３】
【特許文献１】特開２００２−３３７８２７号公報
【発明の開示】
【発明が解決しようとする課題】
【０００４】
ＲＦＩＤタグを利用するシステムでは、ＲＦＩＤタグにはタグを識別するためのタグＩＤだけを記憶する場合と、ＲＦＩＤタグにタグＩＤに加えてタグ情報を記憶する場合とがある。以下、それぞれの場合の問題点について説明する。
【０００５】
図９−１は、ＲＦＩＤタグにタグＩＤだけを記憶させて利用するシステムを示す図である。同図に示すように、ＲＦＩＤタグにタグＩＤだけを記憶させて利用するシステムでは、タグ情報はタグサーバを用いて管理し、リーダライタがＲＦＩＤタグから読み出したタグＩＤをタグサーバに送信し、タグサーバから対応するタグ情報をオンラインで取得して利用している。しかしながら、かかるシステムでは、タグ情報を管理するタグサーバが必要であり、また、タグ利用時にタグサーバにアクセスできる必要があるという問題がある。
【０００６】
図９−２は、ＲＦＩＤタグにタグＩＤに加えてタグ情報を記憶させて利用するシステムを示す図である。同図に示すように、ＲＦＩＤタグにタグＩＤに加えてタグ情報を記憶させて利用するシステムでは、リーダライタはＲＦＩＤタグからタグ情報を直接読み出して利用することができる。いかしながら、かかるシステムでは、ＲＦＩＤタグにタグ情報を記憶するためのメモリが必要であり、タグが高価になるという問題がある。
【０００７】
この発明は、上述した従来技術による問題点を解消するためになされたものであり、ＲＦＩＤタグの記憶領域を効率良く利用し、もってＲＦＩＤタグの利用コストを低減することができるタグ情報管理プログラム、タグ情報管理方法およびタグ情報管理装置を提供することを目的とする。
【課題を解決するための手段】
【０００８】
上述した課題を解決し、目的を達成するため、請求項１の発明に係るタグ情報管理プログラムは、ＲＦＩＤタグに書き込まれて利用されるタグ情報を管理するタグ情報管理プログラムであって、一つのＲＦＩＤタグに書き換えられて利用される複数のタグ情報をタグ管理情報として登録する登録手順と、前記登録手順によりタグ管理情報として登録された複数のタグ情報のうちの一部をリーダライタからの要求に応答して該リーダライタに送信する応答手順と、をコンピュータに実行させることを特徴とする。
【０００９】
この請求項１の発明によれば、一つのＲＦＩＤタグに書き換えられて利用される複数のタグ情報をタグ管理情報として登録し、タグ管理情報として登録した複数のタグ情報のうちの一部をリーダライタからの要求に応答してリーダライタに送信するよう構成したので、ＲＦＩＤタグの記憶領域を効率良く利用することができる。
【００１０】
また、請求項２の発明に係るタグ情報管理プログラムは、請求項１の発明において、前記登録手順は、ＲＦＩＤタグを利用する利用者と該利用者が利用するタグ情報とを対応させて利用者ごとに登録し、前記応答手順は、リーダライタにより指定された利用者に対応するタグ情報を送信することを特徴とする。
【００１１】
この請求項２の発明によれば、ＲＦＩＤタグを利用する利用者と利用者が利用するタグ情報とを対応させて利用者ごとに登録し、リーダライタにより指定された利用者に対応するタグ情報を送信するよう構成したので、利用者ごとにＲＦＩＤタグの情報を書き換えて利用することができる。
【００１２】
また、請求項３の発明に係るタグ情報管理プログラムは、請求項２の発明において、前記応答手順は、リーダライタにより指定された利用者に対応するタグ情報に加えて、該利用者に対応するタグ情報を送信する場合に一緒にタグ情報を送信することが指定されている利用者である同時送信利用者に対応するタグ情報を送信することを特徴とする。
【００１３】
この請求項３の発明によれば、リーダライタにより指定された利用者に対応するタグ情報に加えて、同時送信利用者に対応するタグ情報を送信するよう構成したので、タグ情報管理プログラムと通信することができないオフラインの利用環境にある利用者のタグ情報をＲＦＩＤタグに書き込むことができる。
【００１４】
また、請求項４の発明に係るタグ情報管理方法は、ＲＦＩＤタグに書き込まれて利用されるタグ情報を管理するタグ情報管理方法であって、一つのＲＦＩＤタグに書き換えられて利用される複数のタグ情報をタグ管理情報として登録する登録工程と、前記登録工程によりタグ管理情報として登録された複数のタグ情報のうちの一部をリーダライタからの要求に応答して該リーダライタに送信する応答工程と、を含んだことを特徴とする。
【００１５】
この請求項４の発明によれば、一つのＲＦＩＤタグに書き換えられて利用される複数のタグ情報をタグ管理情報として登録し、タグ管理情報として登録した複数のタグ情報のうちの一部をリーダライタからの要求に応答してリーダライタに送信するよう構成したので、ＲＦＩＤタグの記憶領域を効率良く利用することができる。
【００１６】
また、請求項５の発明に係るタグ情報管理装置は、ＲＦＩＤタグに書き込まれて利用されるタグ情報を管理するタグ情報管理装置であって、一つのＲＦＩＤタグに書き換えられて利用される複数のタグ情報を記憶するタグ情報記憶手段と、前記タグ情報記憶手段により記憶された複数のタグ情報のうちの一部をリーダライタからの要求に応答して該リーダライタに送信する応答手段と、を備えたことを特徴とする。
【００１７】
この請求項５の発明によれば、一つのＲＦＩＤタグに書き換えられて利用される複数のタグ情報を記憶し、記憶した複数のタグ情報のうちの一部をリーダライタからの要求に応答してリーダライタに送信するよう構成したので、ＲＦＩＤタグの記憶領域を効率良く利用することができる。
【発明の効果】
【００１８】
請求項１、４および５の発明によれば、ＲＦＩＤタグの記憶領域を効率良く利用するので、ＲＦＩＤタグの利用コストを低減することができるという効果を奏する。
【００１９】
また、請求項２の発明によれば、利用者ごとにＲＦＩＤタグの情報を書き換えて利用するので、利用者あたりの利用コストを低減することができるという効果を奏する。
【００２０】
また、請求項３の発明によれば、オフラインの利用環境にある利用者のタグ情報をＲＦＩＤタグに書き込むことができるので、オフラインの利用環境にある利用者もＲＦＩＤタグを利用することができるという効果を奏する。
【発明を実施するための最良の形態】
【００２１】
以下に添付図面を参照して、この発明に係るタグ情報管理プログラム、タグ情報管理方法およびタグ情報管理装置の好適な実施例を詳細に説明する。
【実施例】
【００２２】
まず、本実施例に係るＲＦＩＤ利用システムの概念について説明する。図１は、本実施例に係るＲＦＩＤ利用システムの概念を説明するための説明図である。同図に示すように、このＲＦＩＤ利用システムでは、タグ情報を管理するタグ情報管理装置１００は、ＲＦＩＤタグごとに複数の利用者のタグ情報を管理する。すなわち、このＲＦＩＤ利用システムでは、一つのＲＦＩＤタグは、複数の利用者で共用される。
【００２３】
例えば、タグＩＤが「タグＩＤ−Ｘ」であるＲＦＩＤタグについては、利用者Ａのタグ情報Ａ、利用者Ｂのタグ情報Ｂ、利用者Ｃのタグ情報Ｃの三つのタグ情報をタグ情報管理装置１００は管理する。
【００２４】
そして、ある時点では、ＲＦＩＤタグは、タグ情報管理装置１００が管理する複数の利用者のタグ情報のうちの一人の利用者のタグ情報だけを記憶する。すなわち、ある時点では、特定の利用者だけがＲＦＩＤタグを使用する。例えば、タグＩＤが「タグＩＤ−Ｘ」であるＲＦＩＤタグは、ある時点では利用者Ｂによって使用され、タグ情報Ｂだけを記憶する。
【００２５】
なお、ここでは、タグ情報管理装置１００がタグ情報を記憶する領域を仮想記憶領域と呼び、ＲＦＩＤタグがタグ情報を記憶する領域を実記憶領域と呼ぶこととする。通常の計算機の場合、容量不足で実記憶に置くことができないソフトウェアなどを配置するために仮想記憶を用いる。そして、実記憶と仮想記憶への配置の決定は、ソフトウェアの実行情報を元に、メモリ管理ソフトウェアが行う。これに対して、ＲＦＩＤシステムでは、タグの記憶領域である実記憶に配置できないデータを置くためのメモリとして、および、タグとの通信回線が十分なバンド幅が確保できず、サーバ（タグ情報管理装置１００）内のハードディスクとのバンド幅が十分に確保できる場合のキャッシュ保持領域として仮想記憶を用いる。そして、タグ内の半導体メモリとサーバ内のハードディスクのメモリ割り当ては、利用者情報とタグの位置と行き先情報などタグの利用情報を元に行われる。
【００２６】
このように、本実施例では、複数の利用者が一つのＲＦＩＤタグを共同で利用し、複数の利用者のタグ情報をタグ情報管理装置１００が管理し、ＲＦＩＤタグには各利用者のタグ情報を順次記憶させて利用することによって、ＲＦＩＤタグの実記憶領域を効率良く使用し、利用者あたりのＲＦＩＤタグの利用コストを低減することができる。
【００２７】
次に、本実施例に係るタグ情報管理装置１００の構成について説明する。図２は、本実施例に係るタグ情報管理装置１００の構成を示す機能ブロック図である。同図に示すように、このタグ情報管理装置１００は、タグ管理テーブル１１０と、タグ情報編集部１２０と、書換要求処理部１３０とを有する。
【００２８】
タグ管理テーブル１１０は、ＲＦＩＤタグごとにＲＦＩＤタグを共用する複数の利用者のタグ情報を記憶するテーブルである。図３は、タグ管理テーブル１１０がＲＦＩＤタグごとに記憶するタグ情報の一例を示す図である。
【００２９】
同図に示すように、このタグ管理テーブル１１０は、ＲＦＩＤタグごとに、ＲＦＩＤタグを使用する会社を識別する会社ＩＤと、タグ情報と、タグ情報が実記憶領域に記憶されているか否かを示す実仮想フラグとをＲＦＩＤタグを共用する各会社について記憶する。例えば、図３は、会社ＩＤが「Ａ」である会社が現在ＲＦＩＤタグを使用中であり、ＲＦＩＤタグには「タグ情報Ａ」が記憶されており、実仮想フラグの値は「実」であることを示している。
【００３０】
図４は、図３に示したタグ管理テーブル１１０によりタグ情報が管理される利用シーンを説明するための説明図である。同図に示すように、この利用シーンでは、ＲＦＩＤタグは、工場Ａ、運送会社Ｂ、販売店Ｃ、運送会社Ｄ、顧客によって共用される。そして、工場Ａで利用される場合には、タグ情報として製造番号、オプションなどがＲＦＩＤタグに記憶され、運送会社Ｂによって利用される場合は、タグ情報として送り先、品名などがＲＦＩＤタグに記憶され、販売店Ｃによって利用される場合は、タグ情報として顧客、品番などがＲＦＩＤタグに記憶され、運送会社Ｄによって利用される場合は、タグ情報として送り先、品名などがＲＦＩＤタグに記憶される。
【００３１】
なお、ここでは、販売店Ｃおよび顧客はタグ情報管理装置１００にオンラインでアクセスできる環境にないものとする。したがって、ＲＦＩＤタグが貼り付けられた製品が工場Ａを出荷する段階でＲＦＩＤタグの情報が運送会社Ｂが使用する情報に書き換えられ、その製品が運送会社Ｂによって販売店Ｃに届けられたときにＲＦＩＤタグの情報が販売店Ｃが使用する情報に書き換えられる。
【００３２】
また、ＲＦＩＤタグが貼り付けられた製品が販売店から運送会社Ｄによって配達される段階でＲＦＩＤタグの情報が運送会社Ｄが使用する情報に書き換えられ、運送会社Ｄが製品を顧客に届けた段階でＲＦＩＤタグの情報が顧客が使用する情報に書き換えられる。
【００３３】
図２に戻って、タグ情報編集部１２０は、タグ管理テーブル１１０が記憶する情報を編集する処理部であり、具体的には、会社ＩＤに対応させてタグ情報をタグ管理テーブル１１０に登録したり、タグ管理テーブル１１０のタグ情報を変更したりする処理を行う。
【００３４】
書換要求処理部１３０は、リーダライタからの書換要求に応答してタグ情報をリーダライタに送信する処理部である。ここで、書換要求とは、ＲＦＩＤタグのタグ情報を書き換えるために、タグＩＤおよび会社ＩＤを指定して新たに書き込む情報を要求することである。
【００３５】
書換要求処理部１３０は、リーダライタが指定するタグＩＤおよび会社ＩＤに対応するタグ情報をタグ管理テーブル１１０から読み出してリーダライタに送信する。リーダライタは、この書換要求処理部１３０が送信したタグ情報を受信し、ＲＦＩＤタグに書き込む。
【００３６】
この書換要求処理部１３０が、リーダライタからの要求に応答してタグ情報をタグ管理テーブル１１０から読み出してリーダライタに送信することによって、ＲＦＩＤタグの利用者が変わった段階でリーダライタがタグ情報を新しい利用者用に書き換えることができる。
【００３７】
次に、書換要求処理部１３０の処理手順について説明する。図５は、書換要求処理部１３０の処理手順を示すフローチャートである。同図に示すように、この書換要求処理部１３０は、リーダライタからタグ情報の書換要求を受け付ける（ステップＳ１０１）。
【００３８】
そして、リーダライタが指定したタグＩＤおよび会社ＩＤを用いてタグ管理テーブル１１０を検索し（ステップＳ１０２）、検索したタグ情報が実記憶領域に書き込まれていることを表すようにタグ管理テーブル１１０を更新する（ステップＳ１０３）。
【００３９】
そして、検索したタグ情報を書換要求を行ったリーダライタに送信する（ステップＳ１０４）。
【００４０】
このように、この書換要求処理部１３０が、リーダライタからのタグ情報の書換要求を受け付けてタグ管理テーブル１１０を検索し、タグ管理テーブル１１０を更新するとともに書換要求を行ったリーダライタにタグ情報を送信することによって、利用者が変わった際にリーダライタは新たな利用者用にタグ情報を書き換えることができる。
【００４１】
上述してきたように、本実施例では、タグ管理テーブル１１０がＲＦＩＤタグごとに複数の会社のタグ情報を記憶し、書換要求処理部１３０がリーダライタからの書換要求に応答して指定されたＲＦＩＤタグおよび会社のタグ情報をタグ管理テーブル１１０から読み出してリーダライタに送信することとしたので、ＲＦＩＤタグの利用者が変わる際にリーダライタがタグ情報を書き換えることによってＲＦＩＤタグを効率良く使用することができ、利用者あたりのＲＦＩＤタグの利用コストを低減することができる。
【００４２】
なお、本実施例では、リーダライタが会社ＩＤを指定して書換要求を行う場合について説明したが、タグ管理テーブル１１０にタグ情報を書き換える順番を記憶し、リーダライタは会社ＩＤを指定することなく書換要求を行い、書換要求処理部１３０がタグ管理テーブル１１０に記憶された順番にしたがってタグ情報をリーダライタに送信するようにすることもできる。
【００４３】
また、本実施例では、ＲＤＩＤタグのタグ情報を書き換える際に、新たな利用者に対応するタグ情報だけをタグ情報管理装置１００が送信する場合について説明したが、ＲＦＩＤタグに複数の利用者のタグ情報を記憶する領域を設け、リーダライタからの要求に応答して複数の利用者それぞれに対応する複数のタグ情報をタグ情報管理装置１００が送信し、リーダライタが複数の利用者それぞれに対応する複数のタグ情報を一度にＲＦＩＤタグに書き込むようにすることもできる。
【００４４】
例えば、タグ情報管理装置１００にオンラインでアクセスすることができない利用者が連続するような場合、オンラインでタグ情報管理装置１００にアクセスできる時に、それらの利用者それぞれに対応するタグ情報をＲＦＩＤタグに書き込む必要がある場合などは、ＲＦＩＤタグに複数の利用者のタグ情報を記憶する領域を設けて複数のタグ情報を一度にＲＦＩＤタグに書き込むことが必要となる。
【００４５】
このような場合には、図６に示すような情報をＲＦＩＤタグごとに記憶するタグ管理テーブルを用いることによって、複数のタグ情報を一度にＲＦＩＤタグに書き込むことができる。
【００４６】
図６に示すように、このタグ管理テーブルは、ＲＦＩＤタグごとに、ＲＦＩＤタグを共用する各会社について会社ＩＤと、接続状況と、通信速度と、タグ情報と、実仮想フラグとを記憶する。ここで、接続状況は、ＲＦＩＤタグを利用する会社がタグ情報管理装置１００にオンラインでアクセスすることができるか否かを示し、通信速度は、タグ情報管理装置１００にオンラインでアクセスすることができる場合に、タグ情報管理装置１００とリーダライタとの間のネットワークの通信速度である。
【００４７】
書換要求処理部は、このようなタグ管理テーブルを用いることによって、接続状況がオフラインである会社による利用が連続する場合に、それらのタグ情報をまとめてリーダライタに送信し、リーダライタが受信した複数のタグ情報をＲＦＩＤタグに書き込むことができる。また、書換要求処理部は、接続状況がオンラインである場合にも、通信速度が一定値以下であるときは、タグ情報の送信に時間がかかるため、接続状況をオフラインであるとみなして複数のタグ情報をまとめてリーダライタに送信し、リーダライタが受信した複数のタグ情報をＲＦＩＤタグに書き込むことができる。
【００４８】
このように、タグ管理テーブルに各会社の接続状況と通信速度を記憶することによって、タグ情報管理装置１００は、リーダライタからの書換要求に対して必要に応じて複数のタグ情報を送信することができる。
【００４９】
なお、図６に示した情報をＲＦＩＤタグごとに記憶するタグ管理テーブルを用いる代わりに、どの時点でどのタグ情報を読み出すかを記憶したルートテーブルを、図３に示した情報をＲＦＩＤタグごとに記憶するタグ管理テーブル１１０と組み合わせて用いることによって、タグ情報管理装置１００は、リーダライタに複数のタグ情報を送信することもできる。
【００５０】
図７は、ルートテーブルの一例を示す図である。同図に示すように、このルートテーブルは、会社ＩＤと、読出タグ情報とをタグ情報の読み出す時点ごとに記憶する。例えば、このルートテーブルでは、会社「Ａ」のタグ情報を読み出す場合には、会社「Ａ」のタグ情報に加えて会社「Ｂ」、「Ｃ」および「Ｄ」のタグ情報を読み出してリーダライタに送信することが記憶されている。
【００５１】
このように、ルートテーブルをタグ管理テーブル１１０と組み合わせて用いることによっても、タグ情報管理装置１００は、リーダライタに複数のタグ情報を送信することができる。
【００５２】
また、本実施例では、複数の利用者がＲＦＩＤタグを共用する場合について説明したが、本発明はこれに限定されるものではなく、ＲＦＩＤタグが貼付された製品の状況に応じて一人の利用者がタグ情報を書き換えて使う場合にも同様に適用することができる。
【００５３】
例えば、ＲＦＩＤタグは一度に大量に生産されることから、タグ情報の増加にともなって記憶領域が少ないＲＦＩＤタグを利用せざるをえないような場合に、タグ情報管理装置１００でタグ情報全体を管理し、必要に応じてＲＦＩＤタグのタグ情報を書き換えて一人の利用者が利用することができる。
【００５４】
また、本実施例では、タグ情報管理装置について説明したが、タグ情報管理装置が有する構成をソフトウェアによって実現することで、同様の機能を有するタグ情報管理プログラムを得ることができる。そこで、このタグ情報管理プログラムを実行するコンピュータについて説明する。
【００５５】
図８は、本実施例に係るタグ情報管理プログラムを実行するコンピュータの構成を示す機能ブロック図である。同図に示すように、このコンピュータ２００は、ＲＡＭ２１０と、ＣＰＵ２２０と、ＨＤＤ２３０と、ＬＡＮインタフェース２４０と、入出力インタフェース２５０と、ＤＶＤドライブ２６０とを有する。
【００５６】
ＲＡＭ２１０は、プログラムやプログラムの実行途中結果などを記憶するメモリであり、ＣＰＵ２２０は、ＲＡＭ２１０からプログラムを読み出して実行する中央処理装置である。
【００５７】
ＨＤＤ２３０は、プログラムやデータを格納するディスク装置であり、ＬＡＮインタフェース２４０は、コンピュータ２００をＬＡＮ経由で他のコンピュータに接続するためのインタフェースである。
【００５８】
入出力インタフェース２５０は、マウスやキーボードなどの入力装置および表示装置を接続するためのインタフェースであり、ＤＶＤドライブ２６０は、ＤＶＤの読み書きを行う装置である。
【００５９】
そして、このコンピュータ２００において実行されるタグ情報管理プログラム２１１は、ＤＶＤに記憶され、ＤＶＤドライブ２６０によってＤＶＤから読み出されてコンピュータ２００にインストールされる。
【００６０】
あるいは、このタグ情報管理プログラム２１１は、ＬＡＮインタフェース２４０を介して接続された他のコンピュータシステムのデータベースなどに記憶され、これらのデータベースから読み出されてコンピュータ２００にインストールされる。
【００６１】
そして、インストールされたタグ情報管理プログラム２１１は、ＨＤＤ２３０に記憶され、ＲＡＭ２１０に読み出されてＣＰＵ２２０によってタグ情報管理プロセス２２１として実行される。
【００６２】
（付記１）ＲＦＩＤタグに書き込まれて利用されるタグ情報を管理するタグ情報管理プログラムであって、
一つのＲＦＩＤタグに書き換えられて利用される複数のタグ情報をタグ管理情報として登録する登録手順と、
前記登録手順によりタグ管理情報として登録された複数のタグ情報のうちの一部をリーダライタからの要求に応答して該リーダライタに送信する応答手順と、
をコンピュータに実行させることを特徴とするタグ情報管理プログラム。
【００６３】
（付記２）前記登録手順は、ＲＦＩＤタグを利用する利用者と該利用者が利用するタグ情報とを対応させて利用者ごとに登録し、
前記応答手順は、リーダライタにより指定された利用者に対応するタグ情報を送信することを特徴とする付記１に記載のタグ情報管理プログラム。
【００６４】
（付記３）前記応答手順は、リーダライタにより指定された利用者に対応するタグ情報に加えて、該利用者に対応するタグ情報を送信する場合に一緒にタグ情報を送信することが指定されている利用者である同時送信利用者に対応するタグ情報を送信することを特徴とする付記２に記載のタグ情報管理プログラム。
【００６５】
（付記４）前記応答手順は、利用者に同時送信利用者を対応させて記憶するテーブルを用いて同時送信利用者を特定し、該特定した同時送信利用者に対応するタグ情報を送信することを特徴とする付記３に記載のタグ情報管理プログラム。
【００６６】
（付記５）前記応答手順は、利用者がＲＦＩＤタグを利用する順番と、各利用者がＲＦＩＤタグを利用する環境においてリーダライタがタグ情報をネットワークを介して要求できるか否かの情報と、に基づいて同時送信利用者を特定し、該特定した同時送信利用者に対応するタグ情報を送信することを特徴とする付記３に記載のタグ情報管理プログラム。
【００６７】
（付記６）前記応答手順は、ネットワークの通信速度にも基づいて同時送信利用者を特定し、該特定した同時送信利用者に対応するタグ情報を送信することを特徴とする付記５に記載のタグ情報管理プログラム。
【００６８】
（付記７）ＲＦＩＤタグに書き込まれて利用されるタグ情報を管理するタグ情報管理方法であって、
一つのＲＦＩＤタグに書き換えられて利用される複数のタグ情報をタグ管理情報として登録する登録工程と、
前記登録工程によりタグ管理情報として登録された複数のタグ情報のうちの一部をリーダライタからの要求に応答して該リーダライタに送信する応答工程と、
を含んだことを特徴とするタグ情報管理方法。
【００６９】
（付記８）ＲＦＩＤタグに書き込まれて利用されるタグ情報を管理するタグ情報管理装置であって、
一つのＲＦＩＤタグに書き換えられて利用される複数のタグ情報を記憶するタグ情報記憶手段と、
前記タグ情報記憶手段により記憶された複数のタグ情報のうちの一部をリーダライタからの要求に応答して該リーダライタに送信する応答手段と、
を備えたことを特徴とするタグ情報管理装置。
【産業上の利用可能性】
【００７０】
以上のように、本発明に係るタグ情報管理プログラム、タグ情報管理方法およびタグ情報管理装置は、ＲＦＩＤタグを利用するシステムに有用であり、特に、ＲＦＩＤタグが使用される状況に応じてＲＦＩＤタグに記憶させるタグ情報が異なる場合に適している。
【図面の簡単な説明】
【００７１】
【図１】本実施例に係るＲＦＩＤ利用システムの概念を説明するための説明図である。
【図２】本実施例に係るタグ情報管理装置の構成を示す機能ブロック図である。
【図３】タグ管理テーブルがＲＦＩＤタグごとに記憶するタグ情報の一例を示す図である。
【図４】図３に示したタグ管理テーブルによりタグ情報が管理される利用シーンを説明するための説明図である。
【図５】書換要求処理部の処理手順を示すフローチャートである。
【図６】複数のタグ情報を一度にＲＦＩＤタグに書き込むことを可能とするタグ管理テーブルがＲＦＩＤタグごとに記憶する情報の一例を示す図である。
【図７】ルートテーブルの一例を示す図である。
【図８】本実施例に係るタグ情報管理プログラムを実行するコンピュータの構成を示す機能ブロック図である。
【図９−１】ＲＦＩＤタグにタグＩＤだけを記憶させて利用するシステムを示す図である。
【図９−２】ＲＦＩＤタグにタグＩＤに加えてタグ情報を記憶させて利用するシステムを示す図である。
【符号の説明】
【００７２】
１００    タグ情報管理装置
１１０    タグ管理テーブル
１２０    タグ情報編集部
１３０    書換要求処理部
２００    コンピュータ
２１０    ＲＡＭ
２１１    タグ情報管理プログラム
２２０    ＣＰＵ
２２１    タグ情報管理プロセス
２３０    ＨＤＤ
２４０    ＬＡＮインタフェース
２５０    入出力インタフェース
２６０    ＤＶＤドライブ
【図１】
2007193537.tif 000003
【図２】
2007193537.tif 000004
【図３】
2007193537.tif 000005
【図４】
2007193537.tif 000006
【図５】
2007193537.tif 000007
【図６】
2007193537.tif 000008
【図７】
2007193537.tif 000009
【図８】
2007193537.tif 000010
【図９−１】
2007193537.tif 000011
【図９−２】
2007193537.tif 000012